(57)【要約】      （修正有）【課題】表紙ポケットに表紙や紙片類を出し入れする際に表紙ポケットを毀損しにくくし、表紙ポケットと表紙カバー部との固着が簡単であり、安価な合成樹脂シートを用いることによって安価に製造することを可能にした手帳カバーを提供する。【解決手段】手帳表紙および裏表紙を外側から覆う表紙カバー部１２Ａ、１４Ａと、手帳表紙および裏表紙の間にある背表紙を外側から覆う背表紙カバー部１８Ａとが一体化され、表紙カバー部１２Ａ、１４Ａの内面に手帳表紙または裏表紙を挿入する表紙ポケット２２、２４を接合した手帳カバー２０であって、全体が柔軟性と延伸性を持った熱溶着可能な合成樹脂シートで形成され、表紙ポケット２４の開口縁２８を直線状としてその端部を表紙カバー部１４Ａの周縁に沿って背表紙カバー部１８Ａ側へ滑らかに延出させ、表紙ポケット２４と表紙カバー部１４Ａとの熱溶着長を増大させた。【選択図】図１
0003186661.tif 000002
【実用新案登録請求の範囲】
【請求項１】
手帳表紙および裏表紙を外側から覆う表紙カバー部と、前記手帳表紙および裏表紙の間にある背表紙を外側から覆う背表紙カバー部とが一体化され、前記表紙カバー部の内面に前記手帳表紙または裏表紙を挿入する表紙ポケットを熱溶着した手帳カバーであって、
全体が柔軟性と延伸性を持った熱溶着可能な合成樹脂シートで形成され、前記表紙ポケットの開口縁を直線状としてその端部を前記表紙カバー部の周縁に沿って前記背表紙カバー部側へ滑らかに延出させ、前記表紙ポケットと前記表紙カバー部との熱溶着長を増大させたことを特徴とする手帳カバー。
【請求項２】
手帳表紙および裏表紙にそれぞれ対応する表紙カバー部の一方に開口縁を直線として表紙カバー部に直角に溶着した表紙ポケットが形成され、他方に開口縁の端部を表紙カバー部の周縁に沿って背表紙カバー部側へ滑らかに延出させた表紙ポケットが形成されている請求項１の手帳カバー。
【請求項３】
表紙ポケットの開口縁の両端部を背表紙カバー部側に滑らかに延出させて表紙カバー部の縁に熱溶着した請求項１の手帳カバー。
【請求項４】
表紙ポケットの開口縁の端部を、この表紙ポケットの開口縁と表紙カバー部の縁との挟角内で円弧を描きながら背表紙カバー部側へ延出させた請求項１の手帳カバー。
【請求項５】
表紙ポケットには、前記表紙ポケットの開口縁と表紙カバー部の周縁とに重ねて熱溶着された補助ポケットが形成されている請求項１の手帳カバー。
【請求項６】
合成樹脂シートは軟質塩化ビニル樹脂のシートである請求項１の手帳カバー。
【考案の詳細な説明】
【技術分野】
【０００１】
この考案は、手帳の表紙または裏表紙を表紙ポケットに挿入して手帳を外側から覆い手帳を保護する手帳カバーであって、表紙ポケットに内側から名刺やメモなどの紙片類を挿入可能とした手帳カバーに関するものである。
【背景技術】
【０００２】
従来より手帳の表紙および裏表紙をそれぞれ挿入して、表紙と、裏表紙と、これらの間に位置する背表紙（綴り部）とを外側から覆う手帳カバーが公知である。すなわちこの手帳カバーの内側には、手帳の表紙と裏表紙とをそれぞれ内側の背表紙部側から差し込む一対の表紙ポケットが設けられている。この表紙ポケットは背表紙側に向かって開いているから、表紙または裏表紙を挿入した状態では表紙または裏表紙と表紙ポケットの間に背表紙側からメモや名刺などの紙片類を挿入して保持することがある。すなわち表紙ポケットを紙片類ポケットに兼用するものである。
【０００３】
従来の手帳カバーでは、この表紙ポケットの開口縁を直線状とするのが一般的である。すなわち表紙や裏表紙は通常四隅が角張っているから、挿入する際に、表紙や裏表紙の挿入端側（手帳の開放端側）が表紙ポケットの開口縁を全長に亘って同時に押し開くことになる。そこでこの開口縁全長を直線状にして均一に開くのに都合良くしたものである（特許文献１、２、３参照）。
【０００４】
特許文献３には、表紙を挿入しやすくするために、ポケットの開口部両端付近に切り欠き（１２）を形成することが開示されている。すなわち開口部（９）の開口による力（引っ張り力）が切り欠き部（１２）に集中してかかり、開口部（９）の開口により接合部（１３）にかかる力を分散させて、接合部１３の損傷を抑制するものである（段落００２３）。なおこの特許文献３では表地部（６）の縁を外側から裏地部（８）の縁に被せるように折り返して接合することにより、冊子を閉じた際に接合部がポケットとなる裏地部（８）よりも内側に位置させるものである。
【０００５】
特許文献４には、ポケットの開口縁（口部１１ａ）の口部上端部（１１ｂ）と口部下端部（２２ｃ）の付近までを大きな曲率で（円弧状に）切り欠き、この最大切欠幅を手帳カバー幅（Ｗ）の略２／３とすることが開示されている。これにより、メモ類の出し入れを容易にし、ポケットの開口縁に作用する引っ張り力を開口部の縁部分に分散させて開口部を毀損しにくくし、円弧状に大きく切り欠くことによりメモ類の一部が露出され本（手帳）を開いた時にメモ類を確認し易くしたものである（段落０００８、００２３）。
【先行技術文献】
【特許文献】
【０００６】
【特許文献１】実用新案登録第３１０８４９０号公報
【特許文献２】実用新案登録第３１７１６３７号公報
【特許文献３】国際公開ＷＯ２００９/０６９１９３号公報
【特許文献４】特開第２０００−２４７０６０号公報
【考案の概要】
【考案が解決しようとする課題】
【０００７】
手帳の表紙を挿入し易くするために表紙ポケットの開口縁を直線とした従来の手帳カバーでは、開口縁の両端を表紙カバー部の縁に直角に接合するため、表紙や紙片類の出し入れ時に表紙ポケットを押し開くと開口縁の上下端に開口縁の引っ張り力（応力）が集中しこの部分から表紙ポケットが毀損しやすいという問題が有る。
【０００８】
特許文献３のもののように、開口縁の両端付近に切り欠き（１２）を設けるものでは、開口縁を開く際にこの切り欠きに大きな引っ張り力が集中して加わることになり、表紙ポケットの材料によっては表紙ポケットがこの切り欠きから切り裂かれるという問題が有る。例えば安価な薄い塩化ビニル樹脂のシートを用いると、耐久性が極めて低いものとなるから、このような材料を使用できなかったり、表紙ポケットと表紙カバー部との接合強度を十分大きくする必要が生じる。このため安価な塩化ビニル樹脂シートが使用できなかったり、特殊な方法で製造する必要が生じ、構造を簡単にしかつ安価にすることが困難である。
【０００９】
特許文献４のものでは、表紙ポケットに設ける円弧状の切り欠き（挿入口部１０ａ）の両側に直線状の部分（起立部１０ｆ、１０ｇ）が有り、この部分が表紙カバーの縁に直交して接合されているから、表紙や紙片類を出し入れする際にはこの開口縁を直線状にした特許文献１〜３と同様な問題を有するものである。
【００１０】
この考案はこのような事情に鑑みなされたものであり、表紙ポケットに表紙や紙片類を出し入れする際に表紙ポケットを毀損しにくくし、表紙ポケットと表紙カバー部との固着が簡単であり、安価な合成樹脂シートを用いることによって安価に製造することを可能にする手帳カバーを提供することを目的とする。
【課題を解決するための手段】
【００１１】
この考案によればこの目的は、手帳表紙および裏表紙を外側から覆う表紙カバー部と、前記手帳表紙および裏表紙の間にある背表紙を外側から覆う背表紙カバー部とが一体化され、前記表紙カバー部の内面に前記手帳表紙または裏表紙を挿入する表紙ポケットを接合した手帳カバーであって、全体が柔軟性と延伸性を持った熱溶着可能な合成樹脂シートで形成され、前記表紙ポケットの開口縁を直線状としてその端部を前記表紙カバー部の周縁に沿って前記背表紙カバー部側へ滑らかに延出させ、前記表紙ポケットと前記表紙カバー部との熱溶着長を増大させたことを特徴とする手帳カバー、により達成される。
【考案の効果】
【００１２】
この考案によれば、合成樹脂シートは柔軟性と延伸性とを持っているので、表紙や紙片類を表紙ポケットに出し入れする時に表紙ポケットを開いても表紙ポケットおよびこれを熱溶着した表紙カバーが伸びて表紙カバーの開口縁両端部に引っ張り力が集中しない。このため表紙ポケットの毀損が防止できる。
【００１３】
また表紙ポケットの開口縁を直線状としてその端部を表紙カバー部の周縁に沿って背表紙カバー部側へ滑らかに延出させたから、開口縁の両端に加わる引っ張り力がこの延出部分で分散される。また表紙ポケットと表紙カバー部との熱溶着長を増大させることができるので、両者の接合強度を増大させて耐久性を向上させることができる。さらに合成樹脂シートは熱溶着可能であるから、安価に製造することが可能になる。
【００１４】
ここに表紙ポケットの開口縁を背表紙側に接近させて表紙ポケットの奥行きを深くすれば、手帳表紙や裏表紙の保持力が増加するが、手帳表紙や裏表紙の保持に主として寄与するのは表紙ポケット開口縁の上下端部である。表紙ポケットの開口縁端部は背表紙カバー部側へ延出しているので、この延出部で手帳表紙や裏表紙の保持力を確保できる一方、開口縁の中間直線部は背表紙側から離れているので、紙片類の出し入れをし易くすることができる。
【図面の簡単な説明】
【００１５】
【図１】本考案の一実施例を示す平面図
【図２】同じく手帳に手帳カバーを装着する様子を示す斜視図
【考案を実施するための形態】
【００１６】
この発明に係る表紙ポケットは、手帳表紙および裏表紙にそれぞれ対応する表紙カバー部の両方に設けても良いが、これらの一方にだけ設けても良い（請求項２）。表紙ポケットの開口縁の上下両端部に本発明の背表紙カバー部側に滑らかに延出させる構成を適用するのが望ましいが（請求項３）、この発明は開口縁の一方の端部に適用したものであってもよい。
【００１７】
表紙ポケットの開口縁を背表紙カバー部側に滑らかに延出させる構成は、この表紙ポケットの開口縁と表紙カバー部の縁との挟角内で円弧を描きながら背表紙カバー部側へ延出させたものとすることができる（請求項４）。この場合には表紙ポケットを開く時に開口部に加わる引っ張り応力をこの円弧状の延出部分により円滑に分散させ、表紙ポケットの耐久性を一層向上させることができる。
【００１８】
表紙ポケットには、補助ポケットを設けても良い。この補助ポケットは、表紙ポケットの開口縁と表紙カバー部の周縁とに重ねて熱溶着することにより形成することができる（請求項５）。合成樹脂シートは塩化ビニル樹脂（ＰＶＣ）シートが好適であり、例えば軟質塩化ビニル樹脂（可塑剤を配合することにより軟化し弾性を持たせた塩化ビニル樹脂）フィルム、ポリエチレンフィルム、ポリプロピレンフィルムなどが適する（請求項６）。熱溶着には熱したアイロンや、高周波、超音波を用いる方法があり、樹脂フィルムの特性に適した方法を用いる。
【実施例１】
【００１９】
図２において、符号１０は縦長の手帳であり、表紙１２と、裏表紙１４と、これらの間にある多数の紙葉１６を綴じる背表紙１８とを重ねて一体化したものである。ここに手帳１０の四隅は滑らかな円弧状に形成されている。２０は手帳カバーであり、全体が柔軟で延伸性を有する軟質塩化ビニル樹脂のシート（あるいは厚手のフィルム）で作られ、前記手帳１０の外側を覆うものである。すなわち、手帳１０の表紙１２および裏表紙１４を覆う表紙カバー部１２Ａおよび１４Ａと、これらの間にあって前記背表紙１８を覆う背表紙カバー部１８Ａと持つ。
【００２０】
この手帳カバー２０の表紙カバー部１２Ａおよび１４Ａの内面（手帳１０を挟む面）には、手帳の表紙１２および裏表紙１４を挿入する表紙ポケット２２、２４がそれぞれ設けられている。表紙ポケット２２は、上下縁および開放端縁（背表紙カバー部１８Ａと反対側の縁）が、表紙カバー部１２Ａの上下縁および開放端縁に熱溶着されている。この表紙ポケット２２の開口縁２６は直線状であって、その上下両端は表紙カバー部１２Ａの上下の縁に直交している。
【００２１】
裏表紙１４を挿入する表紙ポケット２４は、上下縁および開放端縁（背表紙カバー部１８Ａと反対側の縁）が、表紙カバー部１４Ａの上下縁および開放端縁に熱溶着されている。この表紙ポケット２４の開口縁２８は、上下両端を除いてほぼ直線状であり、上下両端は、表紙カバー部１４Ａの上下縁に沿って背表紙カバー部１８Ａに向かって滑らかに延出している。すなわちこの延出部３０は、この表紙ポケット２４の（図１で上下方向の）開口縁２８と表紙カバー部１４Ａの上下縁との挟角Ｂ内で円弧を描きながら背表紙カバー部１８Ａ側へ延出している。
【００２２】
このため表紙ポケット２４の開口縁２８の上端と表紙カバー部１４Ａとの熱溶着長は、図１に示すように延出部３０の延出量Ｃだけ長くなる。開口縁２８の下端と表紙カバー部１４Ａとの熱溶着長も同様に延出量Ｃだけ長くなる。なお表紙１２を入れる表紙ポケット２２の開口縁２６は、裏表紙１４を挿入する表紙ポケット２４の開口縁２８よりも背表紙カバー部１８Ａに接近している。この実施例では図1から明らかなように、表紙ポケット２２の幅は表紙カバー１２Ａの幅に対して約３／４であり、表紙ポケット２４の幅（開放端縁から開口縁２８の中間直線部までの幅）は表紙カバー部１４Ａの約２．５／４である。従って表紙ポケット２２は表紙ポケット２４よりも深い。表紙ポケット２４が浅いのは、紙片類の出し入れを容易にするためである。
【００２３】
図１において、３２と３４は表紙ポケット２２、２４の開口縁２６、２８の縁に形成した補強のための熱加工による補強部（いわゆる玉縁）、３６は表紙ポケット２２、２４をこの手帳カバー２０に重ねた状態で手帳カバー２０の外周に沿って熱加工した熱シール部であり、表紙ポケット２２、２４の熱溶着部となり、表紙ポケット２２、２４が無い部分に対しては補強部となるものである。
【００２４】
この実施例では表紙ポケット２４の上に補助ポケット３８が形成されている。この補助ポケット３８は、表紙ポケット２４の下部に重ねた樹脂シートの左縁を前記補強部３４により熱溶着され、樹脂シートの下縁および右縁を表紙カバー部１４Ａの周囲の熱シール部（熱溶着部）３６に重ねて熱溶着したものである。また表紙カバー部１４Ａの開閉縁には、手帳カバー２０と同じ材料を使ったペンホルダ４０が熱溶着されている。すなわち帯状の樹脂シートの中央を折り曲げ両端を重ねて表紙カバー部１４Ａの熱シール部３６に熱溶着したものである。
【００２５】
この手帳カバー２０には、図２に示すようにまず手帳１０の表紙１２を深い表紙ポケット２２に挿入する。この表紙ポケット２２の開口縁は直線であるが、手帳１０の表紙１２側の先端だけを適宜量だけ挿入するから、表紙ポケット２２の開口縁２６に加わる引っ張り力は過大にならない。この状態で裏表紙を１４を外側に強く湾曲させてその先端を表紙ポケット２４に挿入することによって、手帳１０に手帳カバー２０を装着する。
【００２６】
この時、裏表紙１４を表紙ポケット２４に差し込む時には、裏表紙１４が表紙ポケット２４を押し開くことになるから、この開口縁２８には大きな引っ張り力が加わることになる。しかしこの開口縁２８の上下端は背表紙カバー部１８Ａに向かって延出しているので、表紙ポケット２４の表紙カバー部１４Ａに対する熱溶着長さが大きくなり、開口縁２８の引っ張り応力がこの熱溶着部（熱シール部３６）の全体に分散される。このため引っ張り力により熱溶着部（熱シール部３６）が毀損しにくくなる。
【００２７】
なお手帳１０の表紙１２および裏表紙１４の先端縁の隅は円弧状であるから、これらの先端を表紙ポケット２２、２４に挿入する際には開口縁２６、２８の上下の隅に引っ掛かりにくくなる。特に裏表紙１４を入れる表紙ポケット２４の上下端に延出部３０があっても、裏表紙１４の隅がこの延出部３０に引っ掛かりにくくなる。
【００２８】
また手帳カバー２０は柔軟性と延伸性とを有するから、この開口縁２８の引っ張り力が熱溶着部３６に加わると、表紙ポケット２４と表紙カバー部１４Ａが変形し伸びることになり、熱溶着部３６に加わる応力の増大は制限されることになる。このため表紙カバー２４の熱溶着部３６が表紙カバー部１４Ａから剥がれにくくなり、表紙ポケット２４の耐久性が増大する。
【００２９】
この表紙ポケット２４にメモなどの紙片類を保持する際には、その開口縁２８を引き揚げて開くことになるが、この時の開口縁２８の引っ張り力が大きくなってもその両端部には応力が集中しにくいから表紙ポケット２４の耐久性が大きくなる。
【符号の説明】
【００３０】
１０  手帳
１２  表紙
１２Ａ、１４Ａ  表紙カバー部
１４  裏表紙
１６  紙葉
１８  背表紙
１８Ａ  背表紙カバー部
２０  手帳カバー
２２、２４  表紙ポケット
２６、２８  開口縁
３０  延出部
３２、３４  熱シール部（補強部）  
３６  熱溶着部（熱シール部）
３８  補助ポケット
４０  ペンホルダ
Ｂ  挟角
Ｃ  延出量
【図１】
0003186661.tif 000003
【図２】
0003186661.tif 000004